(57)【要約】【課題】一枚の板材から成り、展開形状において底面の四隅から放射状に伸びた折線を１８０度に折りつつ底面周囲の各側面を垂直に折って箱状に立ち上げる中パッキンにおいて、折線にあらかじめ「折り癖」を付けて作業性を容易にする。【解決手段】中パッキンは展開形状において長方形の底面に対角線状の折線を有し、あらかじめこの対角線と共に折って放射状の折線に「折り癖」を付ける。その後、底面周囲の各側面を垂直に折って箱状に立ち上げると、あらかじめ付けた「折り癖」によって放射状折線を無理なく折り上げることが可能。放射状折線を二重折線で構成し、その中間部を通る対角線を底面に設ければ、より無理なく折ることができる。【選択図】図２
2017145005.tif 000002
【特許請求の範囲】
【請求項１】
包装箱（１）と中パッキン（２）で構成され、
該中パッキンは、展開形状において、
長方形の底面（４）と、
該底面の四辺に接続する四つの側面（５〜８）と、
該底面の四隅から放射状に伸びる第一〜第四折線（１９、２２、２５、２８）と、
を有し、
該中パッキンを立体形状に折って包装箱（１）に収納する包装部材、
において、
該底面の対角線に沿って第五および第六折線（４ａ、４ｂ）を設け、
該第五折線を折ることで該第一および第三折線を折ることができ、
該第六折線を折ることで該第二および第四折線を折ることができることを特徴とする包装部材。
【請求項２】
該第五折線は、該第一折線の中間点と該第三折線の中間点とを結ぶ直線に重なり、
該第六折線は、該第二折線の中間点と該第四折線の中間点とを結ぶ直線に重なることを特徴とする請求項１に記載の包装部材。
【請求項３】
該第一〜該第四折線は、所定の間隔で並行する二重の折線であることを特徴とする請求項１又は請求項２に記載の包装部材。
【請求項４】
該底面の該四隅に穴を設けたことを特徴とする、請求項１乃至請求項３の何れか一項に記載の包装部材。
【発明の詳細な説明】
【技術分野】
【０００１】
本発明は、物品を梱包する収納箱に関し、特に箱の内部に配置して物品を保持する中パッキンに関する。
【背景技術】
【０００２】
従来より、収納箱の内部に中パッキンを配置し、そこへ被梱包物を収容させる包装材は数多い。中パッキンには、外部の衝撃から被梱包物を保護する役目があり、複数の部材で構成してもよいが、コストや省資源化の観点からは、なるべく少ない部材で構成するのが理想的である。そのため、一枚の板材を複雑に折って中パッキンを形成させる方法が多く提案されている。
【０００３】
特許文献１には、外箱の内部に一枚の段ボールを折って形成した内箱を収めた包装箱が開示されている。内箱は長方形の底壁部の周囲に側壁部が立ち上がる構成で、隣接する側壁部同士は底壁部の４つの角部から放射状に斜め方向へ延びる４本の折曲げ線によって連結されている。
【０００４】
また、特許文献２には、１枚の段ボールから成り、梱包箱より一回り小さい蓋無しの箱状に折上げられるパッキン材が開示されている。これも底面の周囲に立ち上がった側面同士が、それぞれ底面の角部から放射状に斜め方向へ延びた折曲げ線によって連結された構造となっている。
【先行技術文献】
【特許文献】
【０００５】
【特許文献１】特開２０１１−１６８２７９号公報
【特許文献２】特開２００１−３１５８５６号公報
【発明の概要】
【発明が解決しようとする課題】
【０００６】
これら先行技術の内部構造部材は、いずれも一枚の板材から成り、展開形状において底面の四隅から放射状に伸びた折線を１８０度に折りつつ、底面周囲の各側面を垂直に折って箱状に立ち上げる点が共通である。周囲の側面は一度の作業で同時に折り上げられるが、この放射状に伸びた折線は側面を折り上げる作業の過程でムリな力を受けやすく、また底面と各側面とをつなぐ折線の長さに比べて相対的に短いので破れやすい。
【０００７】
しかし一度うまく折ってしまえば、元の展開形状に戻しても再び容易に折ることができるのも段ボール材の特徴である。すなわち、放射状に伸びた折線にあらかじめ「折り癖」を付けておくことが出来れば、次の工程でも破損せず立体形状に折り上げる作業を容易に行うことができる。
【０００８】
そこで、本発明は、この様な中パッキンを有する箱において、底面から四方に伸びる斜め線にあらかじめ「折り癖」を付けられる様にして、その後の作業を容易にすることを目的とする。
【課題を解決するための手段】
【０００９】
上記の目的を達成するために、本発明に係る包装部材は、
包装箱（１）と中パッキン（２）で構成され、
該中パッキンは、展開形状において、
長方形の底面（４）と、
該底面の四辺に接続する四つの側面（５〜８）と、
該底面の四隅から放射状に伸びる第一〜第四折線（１９、２２、２５、２８）と、
を有し、
該中パッキンを立体形状に折って包装箱（１）に収納する包装部材、
において、
該底面の対角線に沿って第五および第六折線（４ａ、４ｂ）を設け、
該第五折線を折ることで該第一および第三折線を折ることができ、
該第六折線を折ることで該第二および第四折線を折ることができることを特徴とする。
【発明の効果】
【００１０】
本発明に係る包装部材によれば、中パッキンの底面に設けた折線を折ることで、放射状に伸びた折線に「折り癖」を付けることができ、次の工程で中パッキンを立体形状に折り上げる作業を容易に行うことができる。
【図面の簡単な説明】
【００１１】
【図１】本発明による包装部材の全体図
【図２】本発明による中パッキンの展開図
【図３】中パッキンをあらかじめ折る手順
【図４】中パッキンを立体形状に折る手順
【図５】本発明による中パッキンの展開図（第二実施例）
【図６】中パッキンの折線を示す詳細図
【発明を実施するための形態】
【００１２】
以下に、本発明の好ましい実施の形態を、添付の図面に基づいて詳細に説明する。
【実施例１】
【００１３】
本発明の第１実施例による包装装置について説明する。
【００１４】
図１は本発明による包装部材の全体図であり、１は包装箱であり、２はその内部へ配置する中パッキンである。２ａは被梱包物を入れる収容スペースで、その周囲に外部の衝撃から保護するための緩衝空間２ｂ、２ｃ、２ｄ、２ｅを構成している。
【００１５】
図２に、中パッキン２の展開形状を示す。
【００１６】
中パッキン２は段ボール材で形成され、３はその段目を示す目方向である。また中パッキン２は、折り目を付けた多数の折線によって、各面の部分に分かれている。このうち、４は底面で、略長方形を成し、対角線を結ぶ折線４ａ、４ｂによって、前底面４ｃ、左底面４ｄ、後底面４ｅ、右底面４ｆに分かれている。
【００１７】
底面４の周囲には前面５、左面６、後面７、右面８があり、それぞれ交点９〜１２を結んで互いに直交する折線１３〜１６を介して底面４に隣接している。
【００１８】
次に、１７は左前面で、折線１８を介して左面６に隣接し、かつ、底面４から放射状に斜め４５度に伸びる折線１９を介して前面５に隣接している。
【００１９】
２０は左後面で、折線２１を介して左面６に隣接し、かつ、底面４から放射状に斜め４５度に伸びる折線２２を介して後面７に隣接している。
【００２０】
２３は右後面で、折線２４を介して右面８に隣接し、かつ、底面４から放射状に斜め４５度に伸びる折線２５を介して後面７に隣接している。
【００２１】
２６は右前面で、折線２７を介して右面８に隣接し、かつ、底面４から放射状に斜め４５度に伸びる折線２８を介して前面５に隣接している。
【００２２】
また、２９は前左面、３０は前右面で、それぞれ折線３１、３２を介して前面５に隣接している。３３は後左面、３４は後右面で、それぞれ折線３５、３６を介して後面７に隣接している。
【００２３】
本発明の第１実施例による包装装置は、以上の様に構成されている。
【００２４】
次に、この中パッキン２を折る作業について説明する。
【００２５】
まず、図３Ａの様に折線１９と４ａと２５が連なっているので、まとめて一緒に６０度程度の鈍角に谷折りする。すると図３Ｂの様に折線１９、４ａ、２５を境界にして右前と左後ろに二分して折られた状態になり、折線１９と２５に谷折り方向の折り癖を付けることができる。
【００２６】
このとき、図２にて先述した様に、折線１９と２５は斜め４５度の角度なのに対し、折線４ａは長方形の底面４の対角線だから４５度ではない。そのため図３Ａの様に折線１９と折線４ａと折線２５はまっすぐ一直線にそろっておらず、点９と点１１で屈曲しており、これを大きく谷折りするのは無理がある。すなわち、折線４ａが長くて強いのに対し、折線１９と２５は短くて弱いから、無理矢理に折ると折線１９と２５が破れやすい。
【００２７】
しかし図３Ｂの様に６０度程度の鈍角であれば、段ボール材で形成された中パッキン２は弾性があり、周辺にある他の折線部分でたわむので、支障なく折ることができる。また、これは折線１９と２５に谷折り方向の折り癖を付けるのが目的であるため、無理にあえて鋭角になるまで折り倒す必要はない。その後は、図３Ａの様に再び谷折りを元に戻す。
【００２８】
次に、今度は折線２２、４ｂ、２８が連なっているので、これもまとめて図３Ｃの様に、６０度程度の鈍角に谷折りする。すると折線２２、４ｂ、２８を境界にして左前と右後ろに二分して折られた状態になり、折線２２と２８にも谷折り方向の折り癖を付けることができる。このときも同様に大きく谷折りするのは無理であるが、６０度程度の鈍角ならば支障なく折ることができるし、あえて鋭角になるまで折り倒す必要はない。その後は、図３Ａの様に再び谷折りを元に戻す。
【００２９】
以上により、折線１９、２２、２５、２８に谷折り方向の折り癖が付いた状態となる。
【００３０】
次に、この折り癖を付けた中パッキン２を折り上げるには、図４Ａから図４Ｂの様に、折線１８、２１、２４、２７を山折りにしつつ、折線１３〜１６を谷折りにして、底面４から前面５と左面６と後面７と右面８を起こす。すると、折線１９、２２、２５、２８にはすでに谷折りの折り癖がついているので、各面が垂直に起こされる動作に応じて自然に図４Ｃの様な状態に立ち上がる。よって、特に折線１９、２２、２５、２８を谷折りする操作をしなくても、破れたり破損することもない。
【００３１】
そして、図４Ｄの様に、前面５に左前面１７と右前面２６を密着させ、後面７に左後面２０と右後面２３を密着させる。さらに図４Ｅの様に、前左面２９と前右面３０を前面５の前方に向け、後左面３３と後右面３４を後面７の後方に向ける。こうして折り上げた中パッキン２を、図１の様に包装箱１へ入れれば、収納スペース２ａの周囲に、緩衝空間２ｂ〜２ｅを構成した包装部材が完成する。
【００３２】
なお、実施例１では底面４の形状を長方形としたが、これを正方形で構成する場合は対角線となる折線４ａが斜め４５度になるので、図３Ａにて点９と１１に生じた様な屈曲がなく、折線１９と４ａと２５を同一の直線上に構成できる。したがって、まとめて一緒に谷折りする際、鈍角に留まらず直角を越えて鋭角にまで折り倒すことができ、よりしっかりと折線１９と２５に折り癖を付けることができる。これは折線２２と２８についても同様である。
【実施例２】
【００３３】
次に、本発明の第２実施例による、包装装置について説明する。第２実施例が第１実施例と異なる点は、底面から斜め四方に伸びる折線を二重線にしたことである。また、底面の四隅に穴を設けている。
【００３４】
以下、本発明の第２実施例による包装装置について説明する。
【００３５】
まず第２実施例による包装部材の外観は図１の第１実施例と同様であり、５１は化粧箱、５２は中パッキンである。図５は中パッキン５２の展開形状で、第１実施例と同じく段ボール材で形成され、５３はその目方向であり、また折り目を付けた多数の折線によって、各面の部分に分かれている。このうち、底面５４は略長方形を成し、周囲の前面５５、左面５６、後面５７、右面５８は、それぞれ交点５９〜６２を結んで互いに直交する折線６３〜６６を介して底面５４に隣接する。
【００３６】
そして、底面５４には折線５４ａと折線５４ｂがあり、これによって、底面５４は前底面５４ｃ、左底面５４ｄ、後底面５４ｅ、右底面５４ｆに四分割された状態となっている。
【００３７】
ここで、第１実施例とは異なり、第２実施例では交点５９〜６２の位置に穴５９ａ〜６２ａを設けている。よって、交点５９〜６２は実在しない仮想点である。
【００３８】
次に、６７は左前面であり、折線６８を介して左面５６に隣接し、かつ、底面５４から放射状に斜め４５度に伸びる折線６９を介して前面５５に隣接している。
【００３９】
ここで、第１実施例とは異なり、折線６９は一本の折線ではなく、所定の幅Ｌで平行に並んだ二重折線６９ａと６９ｂからなっている。
【００４０】
また７０は左後面であり、折線７１を介して左面５６に隣接し、かつ、底面５４から放射状に斜め４５度に伸びる折線７２を介して後面５７に隣接している。これも第１実施例とは異なり、折線７２は一本の折線ではなく、所定の幅Ｌで平行に並んだ二重折線７２ａと７２ｂからなっている。
【００４１】
また７３は右後面であり、折線７４を介して右面５８に隣接し、かつ、底面５４から放射状に斜め４５度に伸び、所定の幅Ｌで平行に並んだ二重折線７５ａと７５ｂからなる折線７５を介して後面５７に隣接している。
【００４２】
７６は右前面であり、折線７７を介して右面５８に隣接し、かつ、底面５４から放射状に斜め４５度に伸び、所定の幅Ｌで平行に並んだ二重折線７８ａと７８ｂからなる折線７８を介して前面５５に隣接している。
【００４３】
なお、底面５４の折線５４ａと５４ｂは、第一実施例の様に底面５４の四隅を結ぶ対角線としてもよいが、第二実施例では、折線５４ａは折線６９の中間点である点６９ｃと、折線７５の中間点である点７５ｃとを結んだ直線上にある。よって、交点５９と６１からはズレている。同様に、折線５４ｂも、折線７２の中間点である点７２ｃと、折線７８の中間点である点７８ｃとを結んだ直線上にあり、交点６０と６２からはズレている。
【００４４】
その他、前左面７９、前右面８０、折線８１と８２、後左面８３、後右面８４、折線８５と８６は第１実施例と同じ構成である。
【００４５】
本発明の第２実施例による包装装置は、以上の様に構成されている。
【００４６】
次に、この中パッキン５２を折る作業について説明する。
【００４７】
まず、第１実施例と同様に、折線６９、５４ａ、７５をまとめて一緒に谷折りして、折線６９と７５に谷折り方向の折り癖を付ける。このとき折線６９と７５は斜め４５度の角度で、折線５４ａは長方形の底面４の対角線で４５度ではないため、折線６９と７５は折線５４ａにまっすぐ一致していない。
【００４８】
しかし第二実施例では折線６９と７５は二重線なので、折線５４ａと一致しなくても自在に折ることができる。これは、折線５４ａと一緒に折線６９を谷折りすると、図６の様に、折線６９は折線５４ａの延長線と一致した仮想の折線６９ｄに沿って折られることになる。この折線６９ｄが所定の幅Ｌで平行に並んだ二重折線６９ａと６９ｂの間にあるので無理なく折ることができ、より大きい角度で谷折りして折り癖を付けることができる。
【００４９】
特に、折線５４ａを底面５４の四隅を通る対角線ではなく、折線６９の中間点６９ｄを通る線にしたことで、仮想の折線６９ｄが二重折線６９ａと６９ｂの間に収まるため、さらに無理なく折ることができるのである。これは折線７５の部分においても同様である。その後は、第１実施例と同様に再び谷折りを元に戻す。
【００５０】
次に、折線７２、５４ｂ、７８についても同様に谷折りする。ここでも図６の様に、より大きい角度で無理なく折ることができる。その後は、第１実施例と同様に再び谷折りを元に戻す。
【００５１】
以上により、折線６９、７２、７５、７８に谷折り方向の折り癖が付いた状態となる。
【００５２】
あとは、第一実施例と同様に、折線６８、７１、７３、７６を山折りにしつつ、折線６３〜６６を谷折りにして、底面５４から、前面５５、左面５６、後面５７、右面５８を起こす。このとき折線６９、７２、７５、７８に谷折りの折り癖がついていて自然に折りやすいのは第一実施例と同様である。さらに、第二実施例では、交点５９〜６２の位置に穴５９ａ〜６２ａが開けてある。よって、各面を折ったとき頂角となる交点５９〜６２が無いため、各面同士が干渉して破れることを防止できる。
【符号の説明】
【００５３】
１  包装箱、２  中パッキン、２ａ  収納スペース、２ｂ〜２ｅ  緩衝空間、
３  目方向、４  底面、４ａ〜４ｆ  折線、５  前面、６  左面、７  後面、８  右面、
９〜１２  交点、１３〜１６  折線、１７  左前面、１８〜１９  折線、２０  左後面、
２１〜２２  折線、２３  右後面、２４〜２５  折線、２６  右前面、
２７〜２８  折線、２９  前上面、３０  前左面、３１  前右面、３２〜３４  折線、
３５  後上面、３６  後左面、３７  前右面、３８〜４０  折線、５１  化粧箱、
５２  中パッキン、５２ａ  収納スペース、５２ｂ〜５２ｅ  緩衝空間、５３  目方向、
５４  底面、５４ａ〜５４ｆ  折線、５５  前面、５６  左面、５７  後面、
５８  右面、５９〜６２  交点、５９ａ〜６２ａ  穴、６３〜６６  折線、
６７  左前面、６８〜６９  折線、６９ａ・６９ｂ  二重折線、７０  左後面、
７１〜７２  折線、７２ａ・７２ｂ  二重折線、７３  右後面、７４〜７５  折線、
７５ａ・７５ｂ  二重折線、７６  右前面、７７〜７８  折線、
７８ａ・７８ｂ  二重折線、７９  前上面、８０  前左面、８１  前右面、
８２〜８４  折線、８５  後上面、８６  後左面、８７  前右面、８８〜９０  折線
【図１】
2017145005.tif 000003
【図２】
2017145005.tif 000004
【図３】
2017145005.tif 000005
【図４】
2017145005.tif 000006
【図５】
2017145005.tif 000007
【図６】
2017145005.tif 000008